(57)【特許請求の範囲】
【請求項１】
前側が低く後側が前側よりも高くなった樋型とされ前側が水面よりも低く後側が水面よりも高くされた状態で沈澱池内の対向する側壁間に固定して設置されるトラフと、同トラフに往復移動自在に設けられて浮遊物を堰き止めたり誘引したりする堰と、同堰を往復駆動させる駆動手段とを備えた浮遊物除去装置において、前記トラフの前側と後側の各上端には、前リブと後リブがトラフの前側に下がった面を形成すべく設けられ、前記堰は１枚の板状部材で、前・後両リブ上を介してトラフ上面を斜め前下がり状に覆うようにして設けられるとともに前記各リブとの間にローラーを介してトラフの前後斜め方向に往復移動自在とされ、かつ前記堰には、板面内に浮遊物誘引口が開設されて同誘引口の傾斜方向下側口縁が水面よりも下がりことで浮遊物を誘引可能とし水面よりも上がることで浮遊物を堰き止め可能とされているとともに、前記堰とトラフの間は、トラフ側の前リブから突設した前部シールが前方からの水の浸入を阻止すべく設けられ、前記駆動手段は、堰の浮遊物誘引口より上側の板面個所を介して連結された連動ロッドを備え同ロッドの運動に応じて堰が傾斜方向上下に連動可能とされていることを特徴とする浮遊物除去装置。
【発明の詳細な説明】
【０００１】
【発明の属する技術分野】
この発明は、沈澱池などの水面に浮遊するものを収集・除去するための浮遊物除去装置に関する。
【０００２】
【従来の技術】
最初あるいは最終沈澱池の水面には、汚水から浮上してきたもの（スカムあるいはフロス）が浮遊しており、これらの浮遊物は、浮遊物除去装置で取り除かれる。
【０００３】
【発明が解決しようとする課題】
ところで、現行の除去装置は、後側が水面よりも高く前側が水面よりも低く形成して設置した角樋形のトラフと、このトラフの前側である浮遊物誘引側に上下運動するように設けられた堰とを備え、堰が、その長手方向両端に備えた回転軸を介してトラフの浮遊物誘引側に回転自在に取り付けられて上下に揺動することにより、堰が水面に浮き上がった時に浮遊物を堰き止め、水面以下に没することで、浮遊物を流してトラフ内に誘引するように構成されている。
【０００４】
こうした除去装置は、構造的にやや複雑のものであり、施工も煩雑なものであった。
この発明は前記課題を解決するためになされたもので、構造の簡略化と施工の簡易化が図れるとともに、安価な装置を提供することを目的とする。
【０００５】
【課題を解決するための手段】
前記課題を解決するため、請求項１に記載の発明は、前側が低く後側が前側よりも高くなった樋型とされ前側が水面よりも低く後側が水面よりも高くされた状態で沈澱池内の対向する側壁間に固定して設置されるトラフと、同トラフに往復移動自在に設けられて浮遊物を堰き止めたり誘引したりする堰と、同堰を往復駆動させる駆動手段とを備えた浮遊物除去装置において、前記トラフの前側と後側の各上端には、前リブと後リブがトラフの前側に下がった面を形成すべく設けられ、前記堰は１枚の板状部材で、前・後両リブ上を介してトラフ上面を斜め前下がり状に覆うようにして設けられるとともに前記各リブとの間にローラーを介してトラフの前後斜め方向に往復移動自在とされ、かつ前記堰には、板面内に浮遊物誘引口が開設されて同誘引口の傾斜方向下側口縁が水面よりも下がりことで浮遊物を誘引可能とし水面よりも上がることで浮遊物を堰き止め可能とされているとともに、前記堰とトラフの間は、トラフ側の前リブから突設した前部シールが前方からの水の浸入を阻止すべく設けられ、前記駆動手段は、堰の浮遊物誘引口より上側の板面個所を介して連結された連動ロッドを備え同ロッドの運動に応じて堰が傾斜方向上下に連動可能とされていることを特徴とする。
【０００６】
【発明の実施の形態】
以下、図示した実施形態を参照してこの発明を詳細に説明する。
【０００７】
図１および図２はその好適な一実施形態を示す。
【０００８】
図２の１は沈澱池の側壁で左右一対形成されている。
【０００９】
各側壁１には、水平方向に軸心を向けて連通トラフ２が挿通固定されている。
【００１０】
この連通トラフ２は、角筒状で両端にフランジ３を備える。
【００１１】
フランジ３にはそれぞれ複数のボルト通孔が明けられている。
【００１２】
対向する連通トラフ２，２間には、トラフ５が固定されている。このトラフ５は、図１に示すように、底板部６、前板部７、および後板部８を備えるＪ形断面形状をしているとともに、前板部７の上端には折り返し状に前リブ９が、また後板部８の上端にも後リブ１０が形成されている。そして、トラフ５の両端に備えたフランジ１１をフランジ３，３に当てがって図示しない止着具（ボルト・ナット）によりトラフ５が固定され、その前板部７上にはゴム板状の前部シール１２が前方突き出し状に止着されている。この前部シール１２は脱着自在であるとともに前後に進退調節可能になっている。同シール１２は斜め上方に向けて突出しているが、水平にしたり、あるいは斜め下方に向けて突出してもよい。また、前リブ９がない場合は、トラフ５の前板部７に差し込まれる部分（前面に沿って止着してもよい）と同部分から前向きに突出する部分とでなる略Ｌ字形断面のシールにしてもよい。
【００１３】
１５は堰である。この堰１５は、円筒面の一部で形成されており、長手方向の長さは、フランジ１１の内面間の長さよりも少し短く形成され、その両端にはフランジ１１に沿って移動しながら水密機能を果たす側部シール１６をコの字形断面で堰１５に沿って曲がるような外嵌式のものとして備えている。この側部シール１６と前部シール１２との境部は水密状態にする。
【００１４】
１８は支点軸（支点）であり、同支点軸１８は、トラフ５の後板部８の内面下部から突設されたブラケット１９に備え付けられ、同支点軸１８を介して堰駆動アーム２０が回転自在に左右１対設けられている。このアーム２０，２０の先端を介して前記堰１５が取り付けられている。支点軸１８は左右別軸として設けられているが、１本通し軸として設けてもよい。
【００１５】
沈澱池内には、４軸駆動方式の１軸として回転軸２２が水面２３の下方近くに設けられ、同回転軸２２には、左右１対のスプロケット２４が取り付けられている。このスプロケット２４には、左右１対をなすチェーン２５が掛けられ、両チェーン２５の外周側にフライト２６が複数配列されている。
【００１６】
このフライト２６の図１における手前端には、ローラー２７が取り付けられ、同ローラー２７により蹴られて堰１５が連動されるように構成されている。すなわち、側壁１には、図５に示すような軸受２８が取り付けられ、同軸受２８を介してアーム軸２９が両端支持状態で設けられる。アーム軸２９の一方には、第１作動アーム３０が延設され、同アーム３０の先端には前記ローラー２７に対向するようにカム３１が取り付けられている。尚、第１作動アーム３０には下限ストッパ３２が対向して設けられているとともに、同アーム３０の上には復帰用のウエイト３３が前後移動調節可能に取り付けられている。
【００１７】
アーム軸２９のトラフ５側には、第２作動アーム３５が延設され、この実施形態の場合、左右１対延びている。同アーム３５の後端と前記堰駆動アーム２０との間は連動ロッド３６で連結されている。
【００１８】
堰１５の前面には水圧が作用しているが、この圧力は、常に支点軸１８を介して受け止められ、従って、前部シール１２に過大な力が掛かるおそれがなく、損傷少なくしてシール機能が永く発揮される。ローラー２７がカム３１を蹴り上げることにより、第１作動アーム３０が持ち上がる一方第２作動アーム３５が下がり、連動ロッド３６を介して堰駆動アーム２０が押し下げられる。これにより、堰１５が下がり、その上端が水面２３以下になることで水面上の浮遊物を誘引してトラフ５内に導入する。
【００１９】
ローラー２７がカム３１を通り過ぎることで、ウエイト３３やカム３１の重量により第１作動アーム３０が下がるとともに第２作動アーム３５が持ち上がり、堰駆動アーム２０を介して堰１５が持ち上がる。これにより、水面上の浮遊物は堰き止められる。尚、第２作動アーム３５は１本でもよい。また、第１作動アーム３０は、図５に実線と仮想線で示すように、２本でもよく、図１のチェーン２５が樹脂製の場合確実な作動を確保するために有効である。この場合、第２作動アーム３０は１本でも２本でもよい。
【００２０】
図３および図４に示す実施形態は、トラフ５の前リブ４０を水平にし、その上側に水平に前部シール４１が取り付けられている。４２は堰で、同堰４２は、コの字形断面のもので、その開放側を前向きにし、その開放側内部に発泡樹脂材でなる浮力体４３が嵌め込まれている。同堰４２の両端には側部シール４４が取り付けられて、フランジ４５の内面に沿って水密状態で上下運動するようになっている。側部シール４４はフランジ４５側に設けてもよい。これは図１の実施形態でも同様である。
【００２１】
堰４２の底面にはローラー４６が左右１対をなして設けられ、同ローラー４６は、トラフ１５の底面に固定したガイド４７とトラフ５の前面に沿って上下に案内され、また、堰４２の上面にも、左右１対のローラー４６が設けられ、同ローラー４６は、トラフ５の上側に立設された左右１対の溝レール形のガイド４８に沿って上下に案内される。堰４２の上側には連動ロッド４９が連結される。
【００２２】
図３、図４の状態では、堰４２の前面に水圧が掛かるが、これを上下のローラー４６，４６で確実に受けるので、安定な堰止め状態と作動が保証される。ここで第２作動アーム５０と連動ロッド４９が下がると堰４２が下がり、押し下げ力がなくなると、浮力体４３により堰４２は持ち上がって水面に復帰する。尚、堰４２は、中空体であってもよい。また、同堰４２は単なる板状のものでもよく、この場合は復帰用のウエイトを付加する。図３および図４の実施形態においても図５に示すアーム方式を使用しているが、前記したように種々の変形方式にすることがある。ガイド４８は溝形にしてあるが、リップ付きのものにしてもよい。また、ガイド４８は溝付きでなく単なるバー状のものにし、逆にローラー４６を鍔付きのものにしてもよい。ローラー４６は堰４２側でなくトラフ５側に設けてもよい。
【００２３】
図６に示す実施形態は、堰１５の回転中心である支点軸１８を中心とする円の中心線上にあるように前リブ５２が斜めやや上向きであり、その上側に前部シール５３が取り付けられている。尚、支点軸１８は、図示に限定されず、トラフ５のいずれの個所に設けてもよいが、浮遊物の長手方向への流れを過度に阻害しない個所を選ぶ。また、堰１５には前面に水圧が作用しており、そのことから、堰駆動アーム２０と堰１５とを軸５４で連結してもよい。
【００２４】
図７に示す実施形態は、トラフ５７が円筒体の一部を切り欠いたものであり、その長手方向両端にフランジ５８を備えたものになっている。トラフ５７の開口が浮遊物誘引口５９とされ、その下端縁が水面６０以下になっている。６１はブラケットで、トラフ５７の内部に固定され、同ブラケット６１の支点軸６２を介して堰駆動アーム６３が取り付けられている。誘引口５９を切り取った板部は堰６４としてそのまま利用されており、トラフ５７の中心より少し前方に偏心して設けられた支点軸６２に支持されている。６５は前部シール、６６は側部シールである。連動ロッド６７は、堰駆動アーム６３の中間に連結されているが、仮想線のように先端でもよい。また、堰６４は上下のローラー６８で案内してもよい。尚、堰は回転式でなく、図３に示すような直線的に上下運動するようにしてもよい。また、堰はトラフ５７の内側に配してもよい。
【００２５】
図８に示す実施形態は、堰７０が平板状とされて上下のローラー７１で上下運動可能とされるとともに、トラフ７２から突設した前部シール７３で水密状態にされたもので、堰７０には水圧が作用することから堰７０をトラフ７２の前に配置して水圧がかかることでローラー７１がトラフ７２の前面に当たるようにしたものである。尚、堰７０の下端には、ローラー中心から後側（トラフ側）にフロート７３を備えて堰７０に掛かる水圧によるモーメントの相殺作用をするようにしてもよい。また、トラフ７２は、図３に示すような形状にしてガイドを立設してもよいが、この実施形態の場合は、四角断面のトラフ７２にしてその前面に浮遊物誘引口７４を形成してある。そして、その上部前面がローラー７１のガイドになっている。さらに、図８に示すように、トラフ７２から立設した固定ステー７５に回転支点７６を設け、同支点７６に揺動可能なアーム７７が取り付けられ、同アーム７７の後端にウエイト７８が、先端に水タンク７９を備えたものである。水タンク７９には、矢印のように上方から水が供給されて溜まるとともに、その重さにより水タンク７９が下がってゆき、それと同時に微排水口８０から一定量の水が抜け出るようにしたものである。アーム７７の支点７６より前側と堰７０とが連動ロッド８１で連結されており、水タンク７９に給水されると同タンク７９が次第に下がって一定の高さで止まり、堰７０を押し下げて浮遊物を誘引するとともに、給水が止まることにより、微排水口８０からの排水により水タンク７９が次第に軽くなってウエイト７８により堰７０を持ち上げるものである。この水タンク方式は、図１から図７の方式にも利用し、さらに、図９から図１３の実施形態にも利用する。逆に図１の駆動方式を図８の駆動方式に利用することもできる。
【００２６】
図９に示す実施形態は、トラフ８３は一辺を長く他辺を短くＬ字形とするとともに斜め姿勢に固定し、長い辺を後側にし短い辺を前側で水面以下にしたもので、前端には前部シール８４を取り付け、後壁に支点軸８５を配して堰駆動アーム８６を取り付けたものであり、さらに、アーム８６の先端に堰８７を備えてトラフ８３上の前部シール８４上に水密状態にしたものである。８８はリブである。尚、連通トラフは、トラフ８３と同様の形状でもよく、四角筒を斜め姿勢に連通させるようにしたものでもよい。
【００２７】
図１０に示す実施形態は、丸パイプを半切りより少し長い周長をもつようにしたトラフ９０と、それより少し短い周長にした堰９１とで構成し、これらが１つの丸パイプから製作できるようにしてあるとともに、支点軸９２で堰９１を開閉自在にしたものである。９３は前部シール、９４は側部シール、９５は連動ロッドである。尚、仮想線のように、池底にカムを配して池底を移動するローラーでカムを蹴るようにするとともに連結パイプ９６で堰９１を上下させるようにした池底駆動方式を採用してもよい。この池底駆動方式は、この実施形態の他の実施形態の全てに利用できる。
【００２８】
図１１に示す実施形態は、トラフ９８の前側に支点軸９９を配し、同軸９９にコの字形（あるいは半円筒形）をした堰１００を取り付けたもので、堰１００は、垂直な堰止め部１００ａと上板部１００ｂおよび下板部１００ｃからなる。上板部１００ｂに連動ロッド１０１が連結されている。堰止め部１００ａはトラフ９８のように長尺状であるが、上・下板部１００ｂ，１００ｃは短いものでもよい。上板部１００ｂは回転によりトラフ９８の裏面に当たり、下板部１００ｃは復帰時にトラフ９８の前面に当たるようになっている。尚、堰止め部１００ａの支点軸９９より上の部分には水圧が作用する（下の部分には水圧が作用しないようにしてある）ので、これを相殺あるいは軽減するため、堰１００の底面には、逆モーメントを発生するためのフロート１０２を備えてもよい。
【００２９】
図１２に示す実施形態は、１枚の板状部材である堰１０４をトラフ１０５の上面にスライド自在に装備したものである。トラフ１０５には、前リブ１０６および後リブ１０７が形成され、これらが前下がりで同一傾斜面上にある。両リブ１０６，１０７上にローラー１０８，１０８が配置され、その上に堰１０４を転動自在にしてある。堰１０４は、板面内に浮遊物誘引口１１０を明けてあり、その傾斜方向下側口縁より下側の傾斜板面部分が堰止め部１０９となっている。この堰１０４の浮遊物誘引口１１０よりも上方個所には、駆動手段である連動ロッド１１１が連結されている。このロッド１１１の上下により堰１０４が上下連動されることで前記下側口縁が水面よりも下がって浮遊物が誘引され水面よりも上がることで浮遊物を堰き止め状態とする。この運動を繰り返す。
【００３０】
連動ロッド１１１が下がることで堰１０４はローラー１０８により斜め下方に下がり、浮遊物誘引口１１０が水面にくることで浮遊物を誘引する。堰１０４には水圧が作用するが逆にこの水圧を利用して構成してあるので、構造の簡略化が図れたものである。１１２は前部シールで、側部シールも必要である。下部のローラー１０８をゴムローラーにして前部シールに代えてもよい。あるいは、下部のローラー１０８の他にゴムローラー式のシールローラーを配してもよい。
【００３１】
図１３に示す実施形態は、トラフ１１４から突設したブラケット１１５にローラー１１６を備え、同ローラー１１６に堰１１７の下部を受け持たせながら堰１１７の水圧を相殺しつつ上下させるようにしたものである。１１８は姿勢保持バネである。尚、堰１１７はくの字に曲げて強度を持たせてあるが平坦な面の板であってもよい。
【００３２】
尚、駆動手段としては、前記のようにフライトの駆動力を利用したものや水の重量を利用したものであったが、例えば、電動源によるもの流体圧によるものでもよい。
【００３３】
図１４に示す実施形態は、矩形をした沈澱池２００の長手方向端内に設置された水駆動方式の浮遊物除去装置についてのもので、沈澱池２００は、幅方向に対向する側壁２０１，２０１と、側壁２０１の端部間をつなぐ端壁２０２とを備える。
【００３４】
各側壁２０１には、ハツリにより形成した通穴２０３を介して連通トラフ２０４が挿通固定されている。この連通トラフ２０４は、角筒の両端にフランジ２０５を備えたもので、一方の連通トラフ２０４から他方の連通トラフ２０４へはスカム水が自然に流れるように微小に傾斜設置されている。
【００３５】
同連通トラフ２０４は、側壁２０１の内面に固定されたブラケット２０６に受材２０７を介して下方から受担されている。これら連通トラフ２０４間には、トラフ２１０が止着具２１１により結合して横架されている。トラフ２１０は、中央に断面を示すように、底板部ａ、背板部ｂ、後上フランジｃ、前下板部ｄ、および前上板部ｅとでなる。
【００３６】
このトラフ２１０は両端が開放状とされるとともに、前記フランジ２０５に対応するフランジ２１２を止着具２１１によりフランジ２０５に連結することで固定されている。このトラフ２１０の底面は、前記のように一方向（例えば、図の右方向）に微小に傾斜する。
【００３７】
２１５は堰で、トラフ２１０より少し短く形成され、図１５にも示すように、板状で、基部ｆ、後フランジｇを備え、基部ｆの前端からは、基部ｆを基準にして数度上向きに傾斜する前部ｈが一体に設けられ、同前部ｈの前端にはさらに上向きに傾斜する前端部ｉが設けられている。尚、前端部ｉには、大きなスカムＳをも呑み込むように切欠ｊが長手方向に数個所形成されている。
【００３８】
堰２１５の両端には、側板２１６が一体に固定されている。同側板２１６は、図１５に示すように、中心部の挿通孔に外向きに突出する回転軸２１７を挿通固定した扇形をなしている。側板２１６付の堰２１５とトラフ２１０間は、堰２１５の基部付近の底面に止め付けられたゴム製の前面シール２１９をトラフ２１０の前端部に差し込み固定することにより前方からの水の浸入が阻止されるようになっている。同シール２１９は、回転軸２１７と同心状をなすＵ字状の曲がり部と、トラフ２１０への取付部と、堰２１５への取付部とでなる。堰２１５は、回転軸２１７を中心に回転し、これを前面シール２１９の曲がり部が湾曲することにより変形しながら前方からのみずの浸入を食い止める。尚、側板２１６の外周には、スカムＳを外側方から内側方へ誘引するための凹部２１６ａが形成されている。２１８…は取付孔であり、これは後述する。
【００３９】
前記回転軸２１７は、側板２１６からフランジ２１２側に向けて突出しており、同回転軸２１７は、図示しない軸受により回転自在に受担されている。同軸受は、フランジ２１２側に内部に球面軸受を内蔵して取り付けられている。また、フランジ２１２の内面には、側面シールが縦向き傾斜状に設けられている。同側面シールは、側板２１６の外面に圧接して側板２１６とフランジ２１２との間からの水の浸入を阻止する。例えば、スポンジによる。
【００４０】
側板２１６の各内面には、後部の取付孔２１８に止着具２２０を介してステー２２１が上向きに突設されている。このステー２２１の上端には、それぞれアーム２２２が水平に取り付けられ、同アーム２２２の前端間には水タンク２２３が横架され、各後部にはウエイト２２４が進退調整自在に取り付けられている。
【００４１】
水タンク２２３は、四角な筒体で、左右１対のタンク本体２２５，２２５を備え、これら本体２２５の各一端は、アーム２２２に側蓋２２６を介して閉止状に結合支持される一方、中央側の他端は、少し離間して内筒２２７で接続支持されている。両タンク本体２２５の間は外筒２２８で更に接続されて水タンク２２３が構成されている。２２９はアーム２２２のストッパである。
【００４２】
水タンク２２３は、ステンレス等の金属でもよいが、軽量である必要があることからグラスファイバーで造られている。勿論、同水タンク２２３は一本通しのものでもよいし、左右に完全に分離した形式にしてもよい。また、同水タンク２２３は、丸形断面その他の幾何学形状を採用できる。
【００４３】
水タンク２２３は、堰２１５上に固着した複数枚のリブ２３０…を介して同堰２１５と結合されている。尚、前記取付孔２１８の前側に形成されたものを利用してステーを立設し、同ステーの上端を水タンク２２３に結合して支持してもよい。
【００４４】
水タンク２２３への水の供給は、一方の連通トラフ２０４内からトラフ２１０内を介して他方の連通トラフ２０４内へと到る共通パイプ２３２を通じてなされるよになっている。このパイプ２３２は、隣合って設置されるスカム除去装置にも同じ要領で通され、その始端には給水源が設けられ、終端は閉止されている。
【００４５】
このパイプ２３２は、それぞれのトラフ２１０の後部に取り付けられたブラケット２３４と固定具２３５により支持されている。そして、同パイプ２３２の中間には入側可撓チューブ（可撓性でなくともよい）２３７が接続され、池上に設置されて電磁バルブ等の開閉バルブ２３８に接続されている。同バルブ２３８からは出側可撓チューブ２３９が取り出され、前記外筒２２８を介して水タンク２２３内に連通状に接続されている。尚、リブ２３０を介してレバー２４１が立設され、それに取り付けられた差込筒２４２には、池上から操作可能な手動レバー２４３が脱着自在に差し込まれているが、前記レバー２４１を介して前記チューブ２３９が中間支持されている。
【００４６】
尚、水タンク２２３の図で見えない後面側には、供給された水を微少量ずつ自然に排出する排水口が適宜個所に開口しており、この排水口の開口度は、制御板の上下調節により調整可能になっている。この排水口は、堰２１５前に溜まるスカムＳを壊すために流下させたり、あるいは堰２１５上を流れるスカムＳを壊すために流下されるように向きを設定する。
【００４７】
水タンク２２３内が空の時は、図１４および図１５に示すように、堰２１５の前端部が水面２４５よりも突き出してスカムＳを堰き止めた状態にある。共通パイプ２３２から入側可撓チューブ２３７へは常時給水がなされており、タイマーによりバルブ２３８が開くと、出側可撓チューブ２３９を通じて水タンク２２３内に一定量ずつ水が供給される。それとともに排水口から水が排出されるが微少であるため、水タンク２２３内には次第に水が溜まり、その重さにより堰２１５は水面２４５から下がるようになる。
【００４７】
これはウエイト２２４に抗してなされ、堰２１５は一定の水深まで没する。これにより、スカムＳが呑み込まれる。堰２１５を一定に制限するため、ストッパやバネを備えることがある。そして、タイマーによりバルブ２３８が閉じると、水タンク２２３内の水量が次第に減って堰２１５は持ち上がり、スカムＳの流れが阻止される。この際、ウエイト２２４が作用する。
【００４８】
尚、沈澱池内には、ブラケット２４７を介して上部ガイドレール２４８が設置され、それにガイド２４９を介してフライト２５０が摺動するようになっているが、このガイド２４９は、従来型であると、地震発生に伴い外れやすいものであった。図１６に示す実施形態のように、ガイド２４９をＬ形のもので縦辺２４９ａを下向きに長くし、フライト２５０の端部に配したものである。これにより、外れにくくなった。
【００４９】
また、図１７に示す実施形態は、トラフ２５２の前部に設けられた堰２５３の取付方についてのもので、同堰２５３は、リブ２５３ａ付のもので、前下がり状にしてその略中間を回転中心にして支持したものである。２５４は前部シールである。尚、２５５は水タンクで、同タンク２５５は、堰２５３の前部に支持したりあるいは後部に支持したりする。また、前記実施形態のようにフライトで連動するようにしてもよい。
【００５０】
図１８に示す実施形態は、スカムスキマーについてのもので、同スカムスキマー３００は、円筒形で両端支持式に同転するものである。３０１は、沈澱池の左右の側壁であり、同側壁３０１を備えて構成される２つの沈澱池を対象にして前記スカムスキマー３００が構成され、水面３１０上の浮遊物を呑み込むとともに一方向にあるスカムピット３０２内にこれら浮遊物および多少の水を同時に導入するようにしてある。
【００５１】
スカムスキマー３００は、ＦＲＰ製でその上部には流入口３０３…が明けられており、同スカムスキマー３００の支持部であるＡ部は図１９に、Ｂ部は図２２に、Ｃ部は図２５にそれぞれ詳細を示してある。スカムスキマー３００の材質はＦＲＰ以外にステンレスなどの金属や他の樹脂でもよい。
【００５２】
まず、Ａ部の詳細である図１９に示すように、スカムスキマー３００の一端部には、端板３０４が別体あるいは一体に設けられている。一方、側壁３０１には、セット孔３０５が形成され、同孔３０５内には、支持ロッド３０６付の取付盤３０７が止着具ａにより固定されている。支持ロッド３０６は取付盤３０７の中心から水平に突出し、その基部外周にカラー３０９が介装されて前記ロッド３０６に前記端板３０４の孔が挿通されることにより、スカムスキマー３００が前後に回転自在に支持されている。
【００５３】
端板３０４の内面には、滑り軸受や転がり軸受などの軸受３１１が取り付けられ、同軸受３１１によりスカムスキマー３００が円滑に回転するように支持されている。３１２はシール、３１３はカラー、３１４は止めピンである。
【００５４】
図２０に示す実施形態のように、側壁３０１にセット孔を形成せず、そのまま取付盤３０７を固定するようにしてもよい。図２１に示す実施形態は、側壁３０１に第１ブラケット３１６を止め付け、同ブラケット３１６の上に第２ブラケット３１７を固定して、同ブラケット３１７に支持ロッド３１８を設けてスカムスキマー３００を回転支持したものである。
【００５５】
図１８のＢ部の詳細を示す図２２の実施形態は、隣合うスカムスキマー３００，３００間を中間の側壁３０１により回転自在に支持したものである。側壁３０１には通孔３２０が水平方向に明けられ、同通孔３２０内にＦＲＰ製などにより接続筒３２１が両端突出状態で挿通されている。接続筒３２１の外周には、側壁３０１の両外面に止着具ａにより固定されるようにシール兼用の取付板３２２が設けられている。
【００５６】
接続筒３２１内には、軸心方向に一対をなす軸受（滑り軸受や転がり軸受等）３２３が設けられ、同軸受３２３は、接続筒３２１の内周面上端に止め付けられる基板３２４と、同基板３２４から下方に向けて伸びたステー３２５により設けられている。接続筒３２１の内部下側の空間にはステー３２５等はなく、スカム等が流れやすくなっている。
【００５７】
両軸受３２３を介して水平な回転ロッド３２７が回転自在に挿通されており、同回転ロッド３２７の両端軸部は、隣合うスカムスキマー３００の各端部内に一体あるいは別体装着により下向き突出状に設けられた支持ブラケット３２８の挿通孔３２９内に挿通固定されている。この固定には、ボルトや止めピンなど各種の止着具や嵌合手段等の固定手段が採用される。一方、ステー３２５の側を固定式とし、支持ブラケット３２８の側を回転式にすることもある。前記支持ブラケット３２８は、仮想線の止着具ａによりスカムスキマー３００に止め付けてもよい。この場合、スカムスキマー３００をＦＲＰにし、支持ブラケット３２８をＳＵＳ質にすることは自由であり、一方、スカムスキマー３００と支持ブラケット３２８共にＳＵＳあるいはＦＲＰであるも自由である。
【００５８】
スカムスキマー３００と接続筒３２１間からの水の浸入を阻止するため、リング板３３１を接続筒３２１の端部に配し、同リング３３１の内外に止め輪３３２を締め付け固定し、さらに、内側の止め輪３３２の内側にシール３３３を配し、同シール３３３の内側にも止め輪３３２を固定してある。これは接続筒３２１の左右端部について同様に構成してある。
【００５９】
尚、図２３のように構成することもできる。すなわち、基板３２４、ステー３２５および軸受３２３を図２２のように１対でなく単一にするとともに、スカムスキマー３００の対向する端部を通孔３２０内に挿通接近させる。これによると、スカムスキマー３００がより安定で円滑に回転運動をする。スカムスキマー３００の外周には、シール３３５を備えた取付板３３６が止着具ａにより防水可能に設けられている。
【００６０】
さらに、図２４に示す実施形態のようにも構成することができる。同実施形態では、基板３２４の取付のため、通孔３２０の上部内周に受板３３８を備えたもので、同受板３３８は、側壁３０１の左右両側に沿ったリング板３３９に一体に取り付けられている。同リング板３３９の外側にシール３３５付の取付板３３６が設けられて防水機能を果たしている。
【００６２】
また、図２６に示す実施形態のようにも構成することができる。同実施形態では、支持ブラケット３４１をスカムスキマー３００に止着具ａにより別体で取り付けるようにし、その止着具ａを利用して手動アーム３４２を装備したものである。手動アーム３４２は、沈澱池の上からスカムスキマー３００を回転操作するものである。
【００６３】
図２５は、図１８のＣ部の詳細を示し、スカムスキマー３００のスカムピット３０２（図１８）に臨む一端の支持及びシール構造を示している。側壁３０１の外側面には、逆Ｌ字形をしたステー３４４が固定され、その下端には軸受３４５を備え、同軸受３４５により回転ロッド３４６が回転自在に支持されている。
【００６４】
同ロッド３４６は、スカムスキマー３００内の支持ブラケット３２８に挿通固定される一方、端部には手動アーム３４７が取り付けられている。スカムスキマー３００の端部は、その下端に切欠３４８が形成されてピット内に流れ込みやすくなっている。側壁３０１には、取付板３３６が固定され、その内周のシール３３５が、スカムスキマー３００の外周に接触している。尚、３４９はカバーである。
【００６５】
図２７およびその右側面図である図２８は、スカムスキマー３００のスカムピット側端部の支持構造の他の例を示す。側壁３０１の外側面には、複数個のガイドローラー３５１…を備えたローラー板３５２が固定され、ローラー３５１…が、定位置で、スカムスキマー３００外周に突設した１対のガイドリング３５３間に沿って運動するようになっている。図２９に示すように、ローラー３５５を溝付のものにし、ガイドリング３５６を単一枚にしてもよい。
【００６６】
尚、図１８から図２９に示す実施形態におけるスカムスキマー３００は、手動アームのみによる回転方式でもよいが、後述する図３４から図４０に示すような駆動方式により回転させるようにしてもよい。
また、図１８の実施形態では、スカムスキマー３００が２つの沈澱池に設置されたものについてのものであったが、１つの沈澱池あるいは４以上の沈澱池に連通状に配されたスカムスキマー３００についても同様に適用する。
【００６７】
ここで、前記実施形態に関連して、地震対策用等に具体化した図３０から図３３に示す緩衝型支持方式について説明する。図３０は、図２０に示す実施形態に関連するもので、支持ロッド３０６付取付盤３０７を、側壁３０１側の固定板３５８との間の緩衝部材３５９で弾性支持したもので、取付盤３０７には、孔３６０が明けられ同孔３６０内に挿通された緩衝部材３６１をも介して止着具ａが取り付けられることで、より緩衝効果を発揮できるようにしてある。
【００６８】
図３１は、図２１に関連するもので、第１ブラケット３１６と第２ブラケット３１７との間に緩衝部材３６３を介装したものである。図３２は、図２３、図２６に関連するもので、基板３２４と側壁３０１との間に緩衝部材３６５を介装したものである。図３３は、回転式のスカムスキマーでなく、角樋形のトラフ３６７を側壁３０１からのブラケット３６８で固定支持するものにおいても緩衝部材３６９により支持することができることを示している。尚、図１から最後の図にわたる各実施形態において、トラフあるいはスカムスキマーには、ＦＲＰを使用でき、また、堰や連通トラフなど他の部材にもＦＲＰを使用することがある。
【００６９】
図３４は、スカムスキマー３００を回転軸３７１で支持し、復帰バランサ３７２で戻るようにしてあり、この場合のスカムスキマー３００を、ステー３７３を介して備えた水タンク３７４内に水を供給し排水口３７５を通じて微量排出することで往復回転させるようにしてある。この場合、手動アーム３７６によりバルブ３７７を開閉操作することで水を供給・停止可能とされているが、手動操作に代えタイマー制御により電磁等のバルブを定期的に制御するようにしてもよい。
【００７０】
図３５は、同様のスカムスキマー３００の外周に下部スプロケット３８０を備え、上方に上部スプロケット３８１を備えて、これらの間をチェーン３８２で連動可能にして、同チェーン３８２に水タンク３８３を備えたものである。水タンク３８３に水を供給することでチェーン３８２を介してスカムスキマー３００が回転し、図示しないバランサで復帰するものである。この水タンク３８３にも排水口３８４が明けられている。
【００７１】
図３６は、スカムスキマー３００にバランサ３８６を備えて復帰可能にしたものに、同スカムスキマー３００の外周に円弧ラック３８７を備える一方、このランク３８７に噛み合う駆動ラック３８８を備えて、同ラック３８８を水タンク３８９に供給される水の重さにより駆動可能に構成してある。この場合も、水タンク３８９に排水口３９０が形成されている。
【００７２】
図３７は、チェーン３９２により循環運動するフライト３９３に連動してスカムスキマー３００を前向きに回転させるようにし、バランサで復帰させるようにしたもので、フライト３９３には、アーム３９４により揺動する中空型パイプ３９５を備えてある一方、スカムスキマー３００側から基部アーム３９６を突設しかつヒンジ３９７を介して連動アーム３９８を備えたものである。連動アーム３９８は、図示時計針周りには単独で逃げ回転するが、その逆方向には基部アーム３９６をも回転させる。
【００７３】
そして、パイプ３９５は浮力で常時上向きになり、連動アーム３９８にさしかかると、同アーム３９８を蹴り、基部アーム３９６をも回転させることでスカムスキマー３００を呑み込み方向に回転させる。尚、アーム３９４は図示よりも長くすれば、パイプ３９５が上周りにきた際に浮遊物をよりスカムスキマー３００３００の方向に送ることができる。また、スカムスキマー３００に代えて、角型樋状のトラフの前側に上下運動する堰を備え、同堰を前記連動で浮沈させるようにも構成できる。
【００７４】
図３８は、ＦＲＰ製スカムスキマー３００にリング４００を備え、同リング４００の前側に上下数段の近接スイッチ等の接点４０１…を配して、同コード４０２を、スカムスキマー３００内の通電防止用ゴムライニング４０３を通じて制御盤４０４に接続し、これにより、汚水側を−とし、コード４０２側を＋にしておけば、水位の変動に応じて、接点４０１…が順次ＯＮになってゆくことで、水位をキャッチすることが可能になる。それとともに、水位のキャッチが可能であることから、制御盤４０４を通じてスカムスキマー３００の回転駆動系を応動・停止させるように構成することで、水面に対してスカムスキマー３００を希望の回転角度で停止させるということもできるようになる。これはスカムスキマー３００が電気を通さないＦＲＰであることから可能になったものである。
【００７５】
また、スカムスキマー３００をＦＲＰ製にして軽量化することにより、回転動作も軽快になる。そのことから、図３９に示す実施形態のような連動でスカムスキマー３００を駆動することが可能になった。すなわち、沈澱池の一方の側壁から片持式に回転軸４０６を突設するか、または、両側壁間に回転軸４０６を横架することにより、側壁寄りに同側壁に平行に連動アーム４０７を備え、同アーム４０７の先端にカム４０８を備えている。
【００７６】
アーム４０７の後端には押さえロッド４０９を備えてスカムスキマー３００から突設したレバー４１０に連動自在に連結してある。カム４０８は、フライト４１１のローラー４１２に連動して持ち上がり、レバー４１０を押し下げることで、スカムスキマー３００は前周りに連動して浮遊物を呑み込むのである。スカムスキマー３００がＦＲＰ製で軽量化したことで、こうした連動方式が初めて実現できるようになった。スカムスキマー３００の復帰回転は、カム４０８等の部材の重さを利用したり、バランサを付したりする。尚、カム４０８や連動アーム４０７等の他の部材もＦＲＰ製にすることがある。レバー４１０なしで、連動アーム４０７でスカムスキマー３００を直接あるいはローラーを介して作動させるよにしてもよい。
【００７７】
図４０は、スカムスキマー３００にバランサ４１４と水タンク４１６を備え、フライト４１７のローラー４１８で上下するＦＲＰ製の水投入容器４１９により池内の水を水タンク４１６に投入することでスカムスキマー３００を呑み込む方向に作動させるように構成してある。スカムスキマー３００は軽量なＦＲＰ製が好ましく、例えば、回転軸４２０に連動アーム４２１を備えて同アーム４２１のカム部４２２がローラー４１８で持ち上げられることで水投入容器４１９が水を汲み上げて水面上に持ち上げるようになる。
【００７８】
水投入容器４１９内にはバルブ４２４が設けられ、同バルブ４２４は上昇時には容器４１９の底に開けた排水口４２５を閉じているが、池側面に固定的に突設したストッパ４２６に容器４１９側のレバー４２７が当たる時点からバルブ４２４が開いてきて、排水口４２５から水案内板４２８を通じて水タンク４１６内に水が投入されるようになっている。ローラー４１８がカム部４２２を通過することで連動アーム４２１は自動で下がる。尚、水タンク４１６には微少な排水孔が設けられて徐々に投入された水を排出する。また、浮遊物除去装置は、前記固定式で前側に堰を備えたトラフを有するものであってもよい。
【００７９】
図４１およびその縦断面図である図４２は、円形沈澱池についての実施形態である。この沈澱池の中央にはセンターウエル４３０が設けられ、底壁上のレーキ４３１は、歩廊４３２に備え付けた駆動部４３３により駆動軸４３４を介して回転駆動されて沈澱した汚泥を落として排出する。
同沈澱池には、汚水流入パイプ４３６と浮遊物除去装置の本体であるトラフ４３７が設けられ、スクレーパ４３８で掻き寄せられた浮遊物をトラフ４３７が呑み込んでスカムピット４３９内に落とし込むようにされるが、この実施形態の場合、前記汚水流入パイプ４３６と固定式のトラフ４３７が合体されて１本化されている。
【００８０】
この１本化は、強度的メリットにつながる。汚水流入パイプ４３６は、図４３に示すように丸形であるが、図４４のような四角でもその他の形状でもよく、また、トラフ４３７も図４５のような角形樋状であるが、丸形その他の形状でもよい。そして、汚水流入パイプ４３６とトラフ４３７との間には、沈澱池の中央に位置するようにボックス４４１が流入パイプ４３６と一体あるいは別体接続式に設けられ、そのボックス４４１の底に明けられた汚水投入口４４２を通じて沈澱池内に汚水が導入される。パイプ４３６とトラフ４３７は、ボックス４４１との間で補強リブなどを施すことは自由である。その一方で、ボックス４４１は省略することもある。尚、トラフ４３７の池中心側の端面は仕切りになっている。また、トラフ４３７の前側には上下運動する堰４４３が装備され、スクレーパ４３８が回転してくることで同スクレーパ４３８に備えたカム４４４が堰４４３上のローラー４４５を押さえることにより、堰４４３が押し下げられ浮遊物を呑み込むようにされる。トラフ４３７はセンターウエル４３０内に迄伸びていることから同ウエル４３０内の浮遊物をも同時に捕らえることができる。尚、スクレーパ４３８はゴム垂れ４４６を備えているので、トラフ４３７を容易に乗り越えることができる。
【００８１】
また、沈澱池の底壁は傾斜しているが、その傾斜角を６０度以上に設定することで、汚泥が自然流下してレーキ４３１は不要になる。沈澱池は上下に複数階にすることがある。
【００８２】
図４３は、汚水流入パイプ４３６を補強する例で、同パイプ４３６の側方に沿ってＨ形鋼などの補強部材４４８を結合したもので、実線のように止着具ａで連結したり、ワイヤーロープ４４９などで連結することができる。図４４のように、流入パイプ４３６の側部に補強リブ４５０を付してもよい。
【００８３】
一方、図４５に示すように、トラフ４３７の補強として、Ｈ形鋼による補強部材４５２をトラフ４３７の底面に添わせて設けてもよいし、図４６に示すように、トラフ４３７の背面に添わせて補強部材４５４を備えて補強にしてもよい。一方、Ｈ形ステンレスをそのままトラフにしてもよい。
【００８４】
また、Ｈ形ステンレスを利用して、図４７に示すように、Ｈ形材の左右に側板４５７を備えて内部が２通路の汚水流入パイプ４５６にしてもよい。４５８は同パイプ４５６に汚水を導入する汚水導入パイプで丸パイプである。尚、丸あるいは角形をした汚水流入パイプ内にＨ形などの補強部材を挿入固定して補強にしてもよい。
【００８５】
前記実施形態のトラフ４３７に代えて回転するスカムスキマーであってもよい。この場合、図４３、図４５、図４６等の補強梁を構成する。また、図４８に示すように、図４７の汚水流入パイプ４５６のＨ形部分のみをそのまま他方に延長してこれをトラフ４３７の受部材（補強部材）にしてもよい。４５９は汚水導入口である。
【００８６】
図４９は、円形沈澱池の浮遊物排出部分の構造についてのものである。周壁４６０の内周には、上澄水排出樋４６１が、また、その内周側にはバッフル４６２が設けられる一方、周壁４６０の外周にはスカムピット４６３が設けられている。周壁４６０には、通孔４６４を介してＳＵＳ質の受パイプ４６５が挿通され、上澄水排出樋４６１上にも受止められている。この受パイプ４６５内には、軸受４６６が設けられるとともに、周壁４６０の外部にも軸受４６６が設けられ、これらを介して回転ロッド４６７が回転自在に設けられている。
【００８７】
ロッド４６７の内端部には、連結材４６８を介してＦＲＰ製のスカムスキマー３００が結合される一方、ロッド４６７の外端部には、ステー４６９の支持もあって手動アーム４７０が設けられている。尚、４７１はシールである。尚、スカムスキマー３００はＳＵＳ等の材質でもよい。
【００８８】
図５０は、ＦＲＰ製のスカムスキマー３００の開口４７３以外の全周部分４７４の周りに同じくＦＲＰ製（ＳＵＳ等でもよい）の補強輪４７５を装着一体化して補強したものを示している。この補強輪４７５は、円形沈澱池のスクレーパ４７６が仮想線のように乗り越える際のガイドとして有効に機能する。尚、これとは別にあるいは併せて、スカムスキマー３００の開口縁部４７７は、先鋭状に形成して浮遊物を切るようにしてもよい。また、スカムスキマー３００の外周には、長手方向に沿って補強リブ４７８を一体化してもよい。
【００８９】
図５１は、ＦＲＰ製のスカムスキマー３００の前部を平坦な取付面４８０にし、同面４８０に大きな浮遊物を誘引する切欠４８１を備えた補強兼堰板４８２を止着具ａで装着したものである。
【００９０】
図５２は、スカムスキマー３００からの浮遊物および水がスカムピット内に流れ易くするためのもので、同スカムスキマー３００の端部は、本体部分の直径よりも大きな径大部４８４を備えている。
【００９１】
図５３および図５４に示す実施形態は、スカムスキマー３００の外周に、複数個のローラー４８６…を介して回転可能な水位追従リング４８７を備え、同リング４８７にアーム４８８を介して水位追従フロート４８９を備える。リング４８７には、スカムスキマー３００の長手方向に沿うように水量規制板４９０を備えるとともに、同板４９０は、スカムスキマー３００の表面に備えたシール４９１に接触するようになっている。
【００９２】
沈澱池内の水位が変動すると、フロート４８９が上下する。これにより、ローラー４８６によりリング４８７が回転追従して、規制板４９０の上端が水面より常に少しだけ下がったレベルにあるように保たれる。従って、スカムスキマー３００が回転して浮遊物を呑み込む際、多くの水を呑み込むのを規制板４９０が規制し、常に少量の水とともに浮遊物を呑み込んで、絶対呑込水量を少なくすることで後処理を簡単にする。
【００９３】
図５５は、ＦＲＰ製スカムスキマー３００に一体に取付座４９３を形成し、同座４９３を介して手動レバー４９４を装備した実施形態を示す。図５６は、ＦＲＰ製のスカムスキマー３００の前面部に周方向のリブ４９６…を数列一体に配したものである。図５７は、ＦＲＰ製スカムスキマー３００の内面底部に長手方向に沿った一体リブ４９８を形成したものを示している。図５８は、スカムスキマー３００の外周にパイプ状の補強部材５００を一体に配したものを示し、仮想線のように、外周底面にリブ５０１を配してもよい。図５９は、ＦＲＰ製あるいはＳＵＳ等のスカムスキマー３００の内部にパイプ５０３を通し、同パイプ５０３に明けた多数の孔５０４…を通じてエアーあるいは水を噴射してスカムスキマー３００内に溜まる浮遊物などの異物を流し出すようにしたものを示している。
【００９４】
図６０およびその縦断面図である図６１、図６１のＸ−Ｘ線矢視図である図６２に示す実施形態は、同じ実施形態を示すものである。図６１に仮想線で示すものは従来の方式で、固定式のトラフ５０５の前に可動式の堰ｂを備えて水面５０８上の浮遊物を回収除去するものにおいては、４軸駆動方式でチェーン５０６を循環駆動するものがあるが、その１つの軸である中間軸５０７は、図示のようにトラフ５０５の前側（図示の左側）手前に配置され、チェーン５０６は、同中間軸５０７を経由して斜め下がり方向に誘導されるものであった。
【００９５】
チェーン５０６には、フライト５０８が同行自在に配備されているが、中間軸５０７周りのスプロケット５０９の位置から水面下に下がるようにされ、特に、トラフ５０５の下方にガードレールを沿わせたものではその分だけスプロケット５０９の位置もトラフ５０５からかなり離間して配置されるため、フライト５０８が、トラフ５０５のかなり手前位置から水中に没するようになる。その結果、フライト５０８もトラフ５０５の位置よりかなり手前から没するため、浮遊物を浮遊物除去装置側に充分に送ることができない。
【００９６】
また、従来の方式では、スプロケット５０９やフライト５０８などが水中に没しているため、メンテナンスをするにも大変である。
さらに、チェーン５０６のスプロケット５０９周りへの引っ掛かり角度が小さいため、地震が発生した場合に外れやすい。
また、従来では、中間軸５０７を経由して斜め下方の回転軸周りのスプロケットの外周にリミットスイッチを対応配備して制御等をしていたが、水中であるため腐食などの耐久性に問題があるだけでなく、メンテナンスにも不都合があった。
【００９７】
これに対して、図６０から図６２に示す実施形態は、図示のように、水面５１０上でトラフ５０５の後方（図示右寄り）位置に中間軸５１１を配しスプロケット５１２を備えたものである。それとともに、スプロケット５１２に掛けられたチェーン５１３に備えたフライト５１４…を、前受ガイドレール５１５に沿わせて前押さえガイドレール５１６で規制しながら水面５１０上に導き、さらにトラフ５０５の上方を通ってスプロケット５１２を経由して後ガイドレール５１７による規制とともに下方に導くようにしてある。
【００９８】
このように構成したことにより、駆動系が水面上になるので、池上から装置の異常を検知して池上からメンテナンスが可能になる。
また、フライト５１４がよりトラフ５０５寄りまで水面に沿って移動するので、浮遊物をよりトラフ５０５側へ送り込むことが可能になる。
さらに、チェーン５１３のスプロケット５１２に対する引っ掛け角度が大きくなるので、地震が発生しても外れ難い。
【００９９】
また、リミットスイッチ５１８も陸上の中間軸５１１に対して配備すればよいから、腐食などの異常が発生しにくく、しかも、メンテナンスも容易になる。
さらに、チェーン５１３が水面上を経由するので、これらの駆動系を監視する監視カメラ５１９も水面上に設けることができ、これにより、駆動系の異常、例えば、チェーン５１３が切れたりしてもすぐに検知することができるようになる。
【０１００】
図６３に示すように、回転式のスカムスキマー３００を配備してもよい。
【０１０１】
また、図６４に示すように、例えば、固定トラフ５２２の前に堰５２３を備えて上下運動させることで浮遊物を除去する装置において、同堰５２３を上下させるため、固定支点５２４周りにレバー５２５を備えてその下端にローラー５２６を備える。レバー５２５の上端はフライト５２７のローラー５２８で蹴られるようにし、これに応じて下端のローラー５２６が堰５２３を押し下げるようになっている。
【０１０２】
堰５２３は中空であるので自動復帰するが、これが板物である場合等浮上力がない場合には、バランサやバネ等で復帰させるようにする。尚、図６４の実施形態では、固定式のトラフ５２２に堰５２３を組み合わせたものであったが、回転式スカムスキマー３００を前記のようにして連動させるように構成することもできる。
【０１０３】
尚、図１以降の全ての実施形態においてトラフ、連通トラフやスカムスキマー、更にその他の部材にＦＲＰを使用することができる。
【０１０４】
【発明の効果】
この発明は以上のように構成されているので、構造の簡略化と施工の簡易化が図れるとともに、安価な装置を提供することができる。
【図面の簡単な説明】
【図１】この発明の一実施形態である浮遊物除去装置の側断面図。
【図２】図１のＩＩ−ＩＩ線断面図。
【図３】他の実施形態を示す側断面図。
【図４】図３のＩＶ−ＩＶ線断面図。
【図５】駆動方式の一実施形態を示す平面図。
【図６】他の実施形態を示す側断面図。
【図７】他の実施形態を示す側断面図。
【図８】他の実施形態を示す側断面図。
【図９】他の実施形態を示す側断面図。
【図１０】他の実施形態を示す側断面図。
【図１１】他の実施形態を示す側断面図。
【図１２】他の実施形態を示す側断面図。
【図１３】他の実施形態を示す側断面図。
【図１４】他の実施形態を示す斜視図。
【図１５】その要部拡大断面図。
【図１６】他の実施形態を示す斜視図。
【図１７】他の実施形態を示す断面図。
【図１８】スカムスキマーの縦断面正面図。
【図１９】同スカムスキマーの一端の支持構造を示す断面図。
【図２０】同スカムスキマーの他の支持構造を示す断面図。
【図２１】同スカムスキマーの他の支持構造を示す断面図。
【図２２】同スカムスキマーの中間の支持構造を示す断面図。
【図２３】中間の支持構造の他の例を示す断面図。
【図２４】中間の支持構造の他の例を示す断面図。
【図２５】スカムスキマーのスカムピット側の支持構造を示す断面図。
【図２６】スカムスキマーの中間の支持構造に手動アームを装備した例を示す断面図。
【図２７】スカムスキマーのスカムピット側の支持構造の他の例を示す断面図。
【図２８】図２７の右側面図。
【図２９】他の支持構造を示す断面図。
【図３０】スカムスキマーの支持構造に緩衝部材を配した例を示す断面図。
【図３１】同緩衝部材を配した他の支持構造例を示す断面図。
【図３２】同緩衝部材を配した中間支持構造の例を示す断面図。
【図３３】同緩衝部材を配した他の例を示す断面図。
【図３４】水タンク方式のでスカムスキマーを駆動する例を示す断面模式図。
【図３５】水タンクとチェーン駆動方式でスカムスキマーを駆動する例を示す断面模式図。
【図３６】水タンクとラックによりスカムスキマーを駆動する例を示す断面模式図。
【図３７】スカムスキマーをフライト側で連動させる一例を示す側面図。
【図３８】水位を検知するとともにスカムスキマーの回転角度をも検知する例を示す断面模式図。
【図３９】フライトによりスカムスキマーを連動する他の例を示す側面図。
【図４０】水を汲み上げて水タンクに投入することでスカムスキマーを駆動する例を示す断面模式図。
【図４１】円形沈澱池についての他の実施形態を示す平面図。
【図４２】図４１の縦断面図。
【図４３】汚水流入パイプとその補強構造を示す断面図。
【図４４】汚水流入パイプの他の補強例を示す断面図。
【図４５】固定トラフに補強をした例を示す断面図。
【図４６】同じく固定トラフに補強をした他の例を示す断面図。
【図４７】汚水流入パイプに補強をした他の例を示す断面図。
【図４８】図４７の正面図。
【図４９】円形沈澱池のスカムスキマーの支持構造を示す断面図。
【図５０】スカムスキマーに補強をした例を示す断面図。
【図５１】ＦＲＰ製スカムスキマーについての他の例を示す断面図。
【図５２】スカムスキマーからの浮遊物が流れ落ちやすくした例を示す断面図。
【図５３】水位追従型スカムスキマーの例を示す正面図。
【図５４】図５３の断面図。
【図５５】ＦＲＰ製スカムスキマーに手動アームを装備した例を示す断面図。
【図５６】同ＦＲＰ製スカムスキマーにリブを付した例を示す斜視断面図。
【図５７】同ＦＲＰ製スカムスキマーにリブを付した他の例を示す斜視断面図。
【図５８】同ＦＲＰ製スカムスキマーにリブを付した他の例を示す斜視断面図。
【図５９】スカムスキマー内にエアー等を噴射する例を示す正面図。
【図６０】中間軸をトラフ後部上方に配した例を示す平面図。
【図６１】図６０の側断面図。
【図６２】図６１のＸ−Ｘ線矢視図。
【図６３】中間軸をトラフ後部上方に配したスカムスキマー装備型の例を示す側面図。
【図６４】フライトで浮遊物除去装置を連動させる例を示す側面図。
【符号の説明】
５，５７，７２，８３，９０，９８，１０５，１１４…トラフ  １５，４２，６４，７０，８７，９１，１００，１０４，１１７…堰  １８，６２，８５，９９…支点軸  ２０，６３，８６…堰駆動アーム  ２３，６０…水面。
【図１】
0004055193.tif 000002
【図２】
0004055193.tif 000003
【図３】
0004055193.tif 000004
【図４】
0004055193.tif 000005
【図５】
0004055193.tif 000006
【図６】
0004055193.tif 000007
【図７】
0004055193.tif 000008
【図８】
0004055193.tif 000009
【図９】
0004055193.tif 000010
【図１０】
0004055193.tif 000011
【図１１】
0004055193.tif 000012
【図１２】
0004055193.tif 000013
【図１３】
0004055193.tif 000014
【図１４】
0004055193.tif 000015
【図１５】
0004055193.tif 000016
【図１６】
0004055193.tif 000017
【図１７】
0004055193.tif 000018
【図１８】
0004055193.tif 000019
【図１９】
0004055193.tif 000020
【図２０】
0004055193.tif 000021
【図２１】
0004055193.tif 000022
【図２２】
0004055193.tif 000023
【図２３】
0004055193.tif 000024
【図２４】
0004055193.tif 000025
【図２５】
0004055193.tif 000026
【図２６】
0004055193.tif 000027
【図２７】
0004055193.tif 000028
【図２８】
0004055193.tif 000029
【図２９】
0004055193.tif 000030
【図３０】
0004055193.tif 000031
【図３１】
0004055193.tif 000032
【図３２】
0004055193.tif 000033
【図３３】
0004055193.tif 000034
【図３４】
0004055193.tif 000035
【図３５】
0004055193.tif 000036
【図３６】
0004055193.tif 000037
【図３７】
0004055193.tif 000038
【図３８】
0004055193.tif 000039
【図３９】
0004055193.tif 000040
【図４０】
0004055193.tif 000041
【図４１】
0004055193.tif 000042
【図４２】
0004055193.tif 000043
【図４３】
0004055193.tif 000044
【図４４】
0004055193.tif 000045
【図４５】
0004055193.tif 000046
【図４６】
0004055193.tif 000047
【図４７】
0004055193.tif 000048
【図４８】
0004055193.tif 000049
【図４９】
0004055193.tif 000050
【図５０】
0004055193.tif 000051
【図５１】
0004055193.tif 000052
【図５２】
0004055193.tif 000053
【図５３】
0004055193.tif 000054
【図５４】
0004055193.tif 000055
【図５５】
0004055193.tif 000056
【図５６】
0004055193.tif 000057
【図５７】
0004055193.tif 000058
【図５８】
0004055193.tif 000059
【図５９】
0004055193.tif 000060
【図６０】
0004055193.tif 000061
【図６１】
0004055193.tif 000062
【図６２】
0004055193.tif 000063
【図６３】
0004055193.tif 000064
【図６４】
0004055193.tif 000065